(57)【要約】【課題】  名刺等の読取対象物に記された情報を、容易に電子データ化してそのデータの蓄積、管理を可能とする。【解決手段】  ケース２の前面部に、表示素子の間に受光素子を二次元に配列して構成され、画像表示と共に画像入力が可能な表示装置３を名刺Ｎとほぼ同等の大きさで設ける。全体を制御するＣＰＵ１０は、表示装置３の画面に名刺Ｎが宛がわれた状態で、読取開始キー６のオン操作が行なわれると、表示装置３の画像入力機能による二次元画像情報の読取り動作を実行させ、読取った二次元画像情報（名刺情報）を表示装置３の画面に表示させる。その二次元画像情報は、付与された識別情報と共にメモリに記憶させ、メモリには名刺データベースが構築される。ユーザの操作に従って、ＣＰＵ１０は、メモリから名刺情報を呼出して表示装置３に表示させる。【選択図】  図１
2005044174.tif 000002
【特許請求の範囲】
【請求項１】
携帯可能な本体に、表示装置を備えて構成される携帯型情報端末装置であって、
前記表示装置は、表示素子の間に受光素子を二次元に配列して構成され、画像表示と共に画像入力が可能に構成されていると共に、
前記表示装置の画面に読取対象物が宛がわれた状態で該読取対象物に記された二次元画像情報を読取らせる読取実行手段と、
読取られた二次元画像情報を記憶する記憶手段と、
読取られた二次元画像情報に識別情報を付与する識別情報付与手段と、
前記記憶手段に記憶されている二次元画像情報を前記識別情報に基づいて呼出して前記表示装置に表示させる呼出し手段とを具備し、
前記呼出し手段により呼出された二次元画像情報を前記表示装置に表示させながら、前記読取実行手段による読取を行なう交換モードの実行が可能に構成され、
２台の装置の表示装置の画面同士を重ね合わせて双方で前記交換モードを実行させることにより、一方の表示装置に表示された情報を他方の表示装置により読取ると同時に、他方の表示装置に表示された情報を一方の表示装置により読取る情報交換機能が実現されることを特徴とする携帯型情報端末装置。
【請求項２】
前記表示装置は、ほぼ名刺大に構成され、前記読取対象物としての名刺の二次元画像情報の読取りが可能であることを特徴とする請求項１記載の携帯型情報端末装置。
【請求項３】
前記表示装置はタッチパネルを備えて構成され、該タッチパネルにより、読取られた二次元画像情報に付加する付加情報を入力することが可能に構成されていることを特徴とする請求項１又は２記載の携帯型情報端末装置。
【請求項４】
文字認識機能を備え、読取られた二次元画像情報を文字データ化することが可能に構成されていることを特徴とする請求項１ないし３のいずれかに記載の携帯型情報端末装置。
【請求項５】
前記記憶手段に記憶されたデータを外部機器に送信するための接続手段を備えることを特徴とする請求項１ないし４のいずれかに記載の携帯型情報端末装置。
【請求項６】
前記接続手段は、光や電波を用いた近距離無線通信手段からなることを特徴とする請求項５記載の携帯型情報端末装置。
【発明の詳細な説明】
【技術分野】
【０００１】
本発明は、携帯可能な本体に、画像表示と共に画像入力が可能に構成された表示装置を備える携帯型情報端末装置に関する。
【背景技術】
【０００２】
例えばビジネスマンなどにおいては、自分の氏名と共に会社名や部署名、役職、住所、電話番号、メールアドレス等の情報がカード大の用紙に印刷された名刺を所持し、仕事上出会った人との間で名刺交換を行なうことが慣習となっている。この場合、交換により得た名刺を、市販の名刺ホルダ等にファイルして整理し管理することが一般的に行なわれている。また、特定のアプリケーションソフトを用いて、パソコンにより名刺情報を蓄積、管理することも行なわれている。
【０００３】
しかし、前者のように名刺ホルダで名刺自体を管理するものでは、特に名刺の数が増えてくると名刺ホルダが複数冊にわたってしまう事情もあり、整理や管理に手間がかかると共に、必要な名刺を探すのに手間が掛かる問題点がある。また、名刺ホルダは、通常、持運びするものではないため、例えば外出先などで名刺情報を調べたいと思っても難しいものとなる。名刺ホルダの置き場所も必要となる。一方、後者のパソコンで名刺情報を蓄積、管理する場合、名刺に記された情報をいちいちキーボード等を操作して手入力しなければならない欠点があった。
【０００４】
そこで、近年では、紙を用いた名刺に代えて、電子データ化された名刺情報のみを面会者と交換するようにした装置（電子無線名刺交換機）が考えられている（例えば特許文献１参照）。この装置は、名刺大のサイズのケースに、無線通信装置、ＣＰＵ、メモリ、液晶画面、入力操作キーボード等を組込んで構成され、メモリに記憶された自らの個人情報データを無線通信装置によって相手方の装置に送信すると共に、相手方の個人情報データを受信することにより名刺情報を交換し、得られた相手方の個人情報データを蓄積、管理する機能を実現するものである。
【特許文献１】特開２００３−１２３０３５号公報
【発明の開示】
【発明が解決しようとする課題】
【０００５】
しかしながら、上記した特許文献１に記載された電子無線名刺交換機では、名刺交換の相手方が同等の装置を所持していなければ、無線による名刺交換の機能を実現することができず、実現性に乏しいものであった。また、多くの人がこの装置を所持するようになったとしても、無線通信により名刺交換を行なう場合、近くで別の人が名刺交換をしていると、名刺交換の対象者以外の個人情報データが意図せずに飛び込んでくる可能性があるという問題点もある。
【０００６】
そして、名刺情報の蓄積、管理のために、過去にもらった紙の名刺をデータとして入力するには、名刺に記された情報をいちいちキーボードを操作して手入力しなければならない欠点があった。この場合、スキャナ等を接続することにより、紙を用いた名刺に記された情報を読取るように構成することも考えられるが、それでは、高価となると共に装置が大形化してしまう不具合を招く。
【０００７】
本発明は上記事情に鑑みてなされたもので、その目的は、名刺等の読取対象物に記された情報を、容易に電子データ化することができ、そのデータの蓄積、管理を可能とすることができる携帯型情報端末装置を提供するにある。
【課題を解決するための手段】
【０００８】
上記目的を達成するために、本発明の携帯型情報端末装置は、携帯可能な本体に、表示素子の間に受光素子を二次元に配列して構成され、画像表示と共に画像入力が可能に構成された表示装置を設け、前記表示装置の画面に読取対象物が宛がわれた状態で該読取対象物に記された二次元画像情報を読取らせる読取実行手段を設け、読取られた二次元画像情報を記憶する記憶手段を設け、読取られた二次元画像情報に識別情報を付与する識別情報付与手段を設け、記憶手段に記憶されている二次元画像情報を前記識別情報に基づいて呼出して前記表示装置に表示させる呼出し手段を設け、さらに、呼出し手段により呼出された二次元画像情報を表示装置に表示させながら読取実行手段による読取を行なう交換モードの実行が可能に構成され、２台の装置の表示装置の画面同士を重ね合わせて双方で前記交換モードを実行させることにより、一方の表示装置に表示された情報を他方の表示装置により読取ると同時に、他方の表示装置に表示された情報を一方の表示装置により読取る情報交換機能が実現されるように構成したところに特徴を有する（請求項１の発明）。
【０００９】
これによれば、画像入力が可能に構成された表示装置を有しているので、ユーザが、例えば名刺等のような読取対象物に記された二次元画像情報を入力したい場合には、その読取対象物を表示装置の画面に宛がうだけで、読取実行手段により、その二次元画像情報が光学的に読取られて記憶手段に記憶されるようになる。従って、読取対象物に記された情報をキーボード等から手入力するものと異なり、データの入力を極めて容易に行なうことができる。そして、入力された二次元画像情報に、識別情報付与手段によって識別情報が付与されることにより、二次元画像情報の蓄積、管理を容易に行なうことができ、その識別情報に基づいて、呼出し手段によりユーザが呼出したい二次元画像情報を容易に呼出して表示装置に表示させることができる。またこのとき、表示装置がいわばスキャナを兼用するので、大形化を抑えることができ、携帯可能な小形の装置として構成することができる。
【００１０】
さらに、２台の携帯型情報端末装置があれば、それらの表示装置の画面を重ね合わせるようにして双方で交換モードを実行させることにより、同時に情報を交換する情報交換機能が実現されるので、短時間で容易にデータの交換を行なうことができる。このとき、光学的に読取りが行なわれるので、電波などによりデータをやり取りするものと異なり、関係のないデータが入力されてしまうことがないことは勿論である。
【００１１】
この場合、上記表示装置を、ほぼ名刺大に構成し、読取対象物としての名刺の二次元画像情報の読取りを可能に構成することができる（請求項２の発明）。これによれば、面会者と交換した紙の名刺を過去にもらったものを含めて容易に電子データ化することができ、その名刺情報を蓄積、管理することができ、いわば電子化された名刺ホルダ（名刺端末）としての機能を果たすことができる。そして、ユーザが自分の名刺情報を記憶させておき、自在に呼び出すこともできるので、同じ装置を有する面会者との間で、互いに自分の名刺情報を表示装置に表示させた状態で、上記情報交換機能を実現させることにより、名刺情報の交換を容易に行なうことができる。
【００１２】
尚、本発明の携帯型情報端末装置は、読取対象物として名刺の読取りに限定されるものでないことは勿論であるが、上記のように名刺端末として用いる場合であっても、名刺情報以外の情報、例えば、免許証や保険証、パスポート、時計，電気機器等の保証書，製造番号証などの、記憶させておくとユーザにとって便利な様々な情報を容易に入力して記憶させておくことができる。
【００１３】
また、本発明においては、表示装置にタッチパネルを設け、そのタッチパネルにより、読取られた二次元画像情報に付加する付加情報を入力できるように構成しても良い（請求項３の発明）。これによれば、入力された二次元画像情報に、ユーザが自在に付加情報を付加することができるので、ユーザにとっての利便性を高めることができる。
本発明においては、文字認識機能を設け、読取られた二次元画像情報を文字データ化することを可能に構成することもできる（請求項４の発明）。これによれば、入力された二次元画像情報の一部または全部を文字データ化することが可能となり、データの取扱い性が向上し、データの整理、管理、検索などがより容易となる。その文字データを利用して識別情報の付与を簡単に行なうこともできるようになる。
【００１４】
本発明においては、記憶手段に記憶されたデータを外部機器に送信するための接続手段を設けても良く（請求項５の発明）、更にこのとき、前記接続手段を、光や電波を用いた近距離無線通信手段から構成することもできる（請求項６の発明）。これによれば、例えばパソコンや携帯電話機等の外部機器との間でのデータのやり取りが可能となり、より一層用途が広がり、利便性を高めることができる。
【発明を実施するための最良の形態】
【００１５】
以下、本発明の一実施例について、図１ないし図５を参照しながら説明する。尚、この実施例は、本発明に係る携帯型情報端末装置を、名刺情報を読取り、記憶する名刺端末として利用する場合を具体例としたものである。ここで、周知のように、名刺Ｎ（図１参照）は、カード大の用紙（紙製の媒体）に、自分の氏名と共に会社名や部署名、役職、住所、電話番号、ファクシミリ番号、メールアドレス等の情報が印刷されたものである。また、会社のマークＭや個人の顔写真などが印刷される場合もある。
【００１６】
図１は、本実施例に係る携帯型情報端末装置（名刺端末）１の外観構成を概略的に示している。この携帯型情報端末装置１は、名刺大よりも一回り大きい程度の薄形の矩形状をなすケース（本体）２の前面部（表面部）に、表示装置３を備えると共に、その右側部に位置して複数個の操作キー４〜７を有して構成されている。
【００１７】
前記表示装置３は、詳しく図示はしないが、表示素子の間に受光素子を二次元に配列して構成され、画像表示と共に画像入力が可能とされている。具体的には、この表示装置３は、例えば「インプットディスプレイ」と称されるもので、低温ポリシリコンＴＦＴからなる液晶に二次元光学センサ素子を埋込んで構成されており、画面に読取対象物（例えば紙等の媒体に各種情報を記したもの）を当てるだけでその画像データを取込めるスキャン機能を有している。また、液晶のバックライトが読取り時の光源を兼用している。この場合、表示装置３の画面の大きさは、名刺Ｎの大きさとほぼ同等ないしは若干大きく構成されている。
【００１８】
前記操作キーは、具体的には、電源キー４、ページ送り（戻り）キー５、読取開始キー６、名刺表示キー７から構成されている。また、本実施例では、表示装置３の表面部にはタッチパネル８（図２参照）が設けられており、表示装置３の画面上に例えばキーボード等の複数種類の操作キーを設定することができるようになっている。このとき、タッチペン９（図５参照）による入力操作も可能とされている。
【００１９】
図２は、この携帯型情報端末装置１の電気的構成を概略的に示している。携帯型情報端末装置１は、全体の制御等を行なうＣＰＵ（マイコン）１０を備えており、このＣＰＵ１０が、前記表示装置３における読取りや表示を制御するようになっている。また、このＣＰＵ１０に、前記各操作キー４〜７及びタッチパネル８からの操作信号が入力されるようになっている。そして、このＣＰＵ１０には、記憶手段としてのメモリ１１が接続され、そのメモリ１１に対する書込みや呼出しを制御するようになっている。尚、図示はしないが、ケース２内には、駆動電源となる例えば二次電池も内蔵されている。
【００２０】
このとき、後の作用説明でも述べるように、前記ＣＰＵ１０は、そのソフトウエア的構成（プログラムの実行）により、表示装置３の画面に読取対象物（この場合主として名刺Ｎ）が宛がわれた状態で、ユーザにより読取操作（読取開始キー６のオン操作）が行なわれると、表示装置３の画像入力（スキャナ）機能による、その読取対象物の表面に記された二次元画像情報の読取り動作を実行させるようになっている。また、読取った二次元画像情報（名刺情報）を表示装置３の画面に表示させるようになっている。そして、その二次元画像情報を付与された識別情報と共にメモリ１１に記憶させるようになっている。
【００２１】
ここで、前記識別情報とは、名刺情報の整理や検索のために付与されるものであり、例えば名刺Ｎに記された情報のうち会社名、部署名、氏名等の一部の情報、更には日付情報やユーザによって自在に設定される番号や記号、グループ名などの情報（文字データ）であり、ひとつの二次元画像情報（名刺情報）に対して例えば会社名及び氏名といったように複数個を付与することができる。この識別情報を付与するにあたっては、ユーザがタッチパネル８を操作することにより入力することが可能であることは勿論、文字認識（ＯＣＲ）機能を利用して、読取った二次元画像情報（名刺情報）のうち一部（ないしは全部）を文字データ化することによっても可能である。この場合、二次元画像情報（画像データ）のうちユーザが指定した部分を文字データ化するようにしても良いし、或いは自動で文字データ化を行なうことも可能である。
【００２２】
前記メモリ１１には、名刺情報が、名刺情報ごとに付与される識別情報と関連付けて記憶され、それが蓄積されることにより名刺データベースが構築されるようになっている。そして、ＣＰＵ１０は、ユーザの操作（名刺表示キー７のオン操作）に従って、前記メモリ１１から名刺情報を呼出して表示装置３に表示させるようになっている。この場合、ユーザが例えば呼出したい名刺情報に係る会社名等を指定する操作を行なうことにより、識別情報に基づいて呼出すべき名刺情報が検索されるようになっている。従って、ＣＰＵ１０が、読取実行手段及び呼出し手段として機能すると共に、タッチパネル８等と共に識別情報付与手段として機能するようになっている。
【００２３】
また、本実施例では、上記した二次元画像情報（名刺情報）を読取って記憶させる際に、ユーザのタッチパネル８の操作により付加情報の入力が可能とされている。そして、本実施例では、ユーザの操作に基づき、呼出された特定の二次元画像情報を表示装置３の画面に表示させながら、同時にその画面に宛がわれるように配置された読取対象物の二次元画像情報の読取りを行なう交換モードを実行することが可能とされ、２台の携帯型情報端末装置１間でそれらの表示装置３の画面を重ね合わせるようにして双方で交換モードを実行させることにより、一方の表示装置３に表示された情報を他方の表示装置３により読取ると同時に、他方の表示装置３に表示された情報を一方の表示装置３により読取る、つまり同時に情報を交換する情報交換機能の実現（名刺情報の交換）が可能とされている。
【００２４】
次に、上記構成の作用について、図３ないし図５も参照して述べる。図３のフローチャートは、ユーザが、読取対象物例えば仕事上出会った人の間で交換した名刺Ｎの情報を、携帯型情報端末装置１に入力する際のＣＰＵ１０が実行する処理手順を示している。即ち、名刺情報を読取らせるにあたっては、ユーザは、装置１の電源をオンすると共に、読取らせたい名刺Ｎ（例えば図１に示すような株式会社ＡＢＣの田中太郎氏の名刺）をその表面（読取面）が表示装置３の画面上に宛がわれるようにセットし、読取開始キー６をオン操作する。
【００２５】
ステップＳ１にて、読取開始キー６がオン操作されたと判断されると（Ｙｅｓ）、次のステップＳ２にて、表示装置３による読取動作が実行され、名刺Ｎの二次元画像情報が読取られるようになる。読取動作が完了すると、ステップＳ３にて、読取った二次元画像情報が表示装置３の画面に表示される。これにて、ユーザは、名刺Ｎの名刺情報が正しく読取られているかを確認することができる。
【００２６】
そして、これと共に、ユーザに対して識別情報の付与のための操作を促す表示がなされるようになり、ユーザの操作に基づき、ステップＳ４にて、読取られた二次元画像情報（名刺情報）に対する識別情報の付与が行われる。この操作は、上記のように、ユーザがタッチパネル８により例えば会社名や氏名等を入力することにより行っても良く、ユーザが、表示されている名刺情報画像上の会社名や氏名部分を指定し、その部分を文字認識機能により文字データ化することによって行っても良い。
【００２７】
次のステップＳ５では、必要（ユーザの希望）に応じて、付加情報の入力処理が行われる。この処理においては、ユーザが、名刺情報に付加的にメモしておきたいような情報、例えば図５に示すように、小柄やメガネ着用といった名刺Ｎの相手の特徴や、面会した日付などを、タッチペン９を用いてタッチパネル８のキーボード等を操作することにより入力（空いている領域に小さい字で書込み）することができるようになっている。付加情報の入力が完了すると、ステップＳ６にて、名刺情報（付加情報がある場合にはそれを含む）が、識別情報と関連付けられてメモリ１１に記憶、蓄積され、以て入力の処理が終了する。
【００２８】
このように名刺Ｎを読取り、その名刺情報をメモリ１１に蓄積することによって、携帯型情報端末装置１は、名刺ホルダとしての機能を果たし、ユーザが携帯して所持し、自在に名刺情報を呼出して表示させることができる。この場合、図示や詳しい説明は省略するが、名刺情報の呼出にあたっては、識別情報として記憶されている会社名や氏名等をキーワードとして指定することにより、識別情報の検索が行われ、対応する名刺情報が呼出されるようになる。検索された名刺情報が複数ある場合には、さらに絞込みを行っても良いし、ページ送り（戻り）キー５を操作して一つずつ見ていくようにしても良い。
【００２９】
さらに、本実施例の携帯型情報端末装置１は、交換モードの実行が可能であるので、２台の装置１を用いることによって、それらの間で同時に情報を交換する情報交換機能の実現が可能とされている。つまり、図４に示すようにして、紙製の媒体である名刺Ｎを介在させることなく、いわば名刺交換を行なうことができるようになっている。即ち、今、図４−Ａに示すように、例えば「山田一太郎」氏と「田中太郎」氏とが夫々携帯型情報端末装置１（Ａ）、１（Ｂ）を所有しているものとする。両氏は、予め、携帯型情報端末装置１（Ａ）、１（Ｂ）に自分の名刺を読取らせてその名刺情報をメモリ１１に記憶させておくようにする。
【００３０】
そして、「山田一太郎」氏と「田中太郎」氏とが名刺交換を行なう場合、図４−Ａに示すように、各人が自分の携帯型情報端末装置１（Ａ）、１（Ｂ）にて自分の名刺情報を呼出して夫々表示装置３（Ａ）、３（Ｂ）に表示させておくようにし、その状態で、図４−Ｂに示すように、２台の携帯型情報端末装置１（Ａ）、１（Ｂ）の表示装置３（Ａ）、３（Ｂ）の画面を重ね合わせるようにし、双方で交換モードを実行させる。すると、一方の表示装置３（Ａ）に表示された情報が他方の表示装置３（Ｂ）により読取られると同時に、他方の表示装置３（Ｂ）に表示された情報が一方の表示装置３（Ａ）により読取られるようになる。
【００３１】
これにて、容易にデータ（名刺情報）の交換を行なうことができ、図４−Ｃに示すように、「山田一太郎」氏の携帯型情報端末装置１（Ａ）に「田中太郎」氏の名刺情報が読取られると共に、「田中太郎」氏携帯型情報端末装置１（Ｂ）に「山田一太郎」氏の名刺情報が読取られるようになるのである。このとき、光学的に読取りが行なわれるので、電波などによりデータをやり取りするものと異なり、関係のないデータが入力されてしまうことがないことは勿論である。
【００３２】
尚、本実施例の携帯型情報端末装置１は、上記のように名刺端末として用いる場合であっても、名刺情報以外の情報、例えば、免許証や保険証、パスポート、時計，電気機器等の保証書，製造番号証などの、記憶させておくとユーザにとって便利な様々な情報を容易に入力して記憶させておくことができる。
【００３３】
このように、本実施例の携帯型情報端末装置１によれば、画像入力が可能な表示装置３を設けて構成したことにより、名刺Ｎ等のような読取対象物に記された二次元画像情報を光学的に読取って容易に電子データ化することができ、この場合、読取対象物に記された情報をキーボード等から手入力する場合と異なって、データの入力を極めて容易に行なうことができる。また、入力された二次元画像情報に識別情報が付与されることにより、二次元画像情報の蓄積、管理を容易に行なうことができ、その識別情報に基づいて、ユーザが呼出したい二次元画像情報を容易に呼出して表示装置３に表示させることができる。このとき、表示装置３がいわばスキャナを兼用するので、全体（ケース２）の大形化を抑えることができ、携帯可能な小形の装置として構成することができる。
【００３４】
特に名刺端末として用いたことによって、面会者と交換した紙の名刺を、過去にもらったものや、更には自分の名刺を含めて容易に電子データ化することができ、その名刺情報を蓄積、管理することができ、いわば電子化された名刺ホルダ（名刺端末）としての機能を果たすことができる。しかも、交換モードを設けたことによって、容易にデータの交換（名刺交換）を行なうことができ、また、入力された二次元画像情報に、ユーザが自在に付加情報を付加することができるので、ユーザにとっての利便性を高めることができるといった利点も得ることができるものである。
【００３５】
図６は、本発明の他の実施例に係る携帯型情報端末装置２１を示すものであり、上記実施例と異なるところは、メモリ１１に記憶されたデータを外部機器（例えば携帯電話機２２）に送信するための接続手段を設けた点にある。この場合、図示はしないが、本体２内に、接続手段として、光や電波を用いた近距離無線通信手段、例えばＢｌｕｅｔｏｏｔｈモジュールが組込まれている。
【００３６】
かかる構成においては、上記実施例と同様に、名刺Ｎ等に記された二次元画像情報を光学的に読取ってメモリ１１に記憶、蓄積することができることに加えて、例えば、メモリ１１に記憶されたデータのうち、ユーザが選択した電話番号のデータ（ＯＣＲ機能により文字データ化されたもの）を、携帯電話機２２に送信し、携帯電話機２２において自動ダイアルアップさせるといったことが可能となる。これにより、より一層用途が広がり、利便性を高めることができる。
【００３７】
尚、近距離無線通信手段としては、他にも、赤外線を用いるＩｒＤＡや、ＵＷＢ（Ultra Wide Band）等を採用することもできる。また、外部機器としては、パソコン等の他の情報機器でも良い。さらには、外部機器との間でケーブルによる接続が可能に構成することもでき、この場合、接続手段として、ケーブル接続用のインタフェース（コネクタ）を設けるようにすれば良い。
【００３８】
その他、本発明は、上記した各実施例に限定されるものではなく、要旨を逸脱しない範囲内で、種々の拡張、変更が可能である。例えば、本発明の携帯型情報端末装置は、単独の装置ではなく、例えば携帯電話機やＰＤＡ、ノートパソコン等の表示装置を有する携帯型端末機器に一体に組込むようにすることが可能である。本体の形状や構造としても様々な変形が可能であり、例えば表示装置の画面を開閉するためのカバーを備えた構成としても良い。
【００３９】
また、バーコードや二次元コード等の情報コードを読取って解析（デコード）する機能を付加するようにしても良い。記憶手段（メモリ）を、本体から着脱可能なカード型等の小形のメディアから構成しても良い。本発明は、読取対象物としての名刺Ｎの読取りに限定されるものでないことは勿論であり、表示装置の画面の大きさとしても名刺大に限られるものではない。
【図面の簡単な説明】
【００４０】
【図１】本発明の一実施例を示すもので、携帯型情報端末装置及び名刺の外観を示す図
【図２】携帯型情報端末装置の電気的構成を概略的に示すブロック図
【図３】二次元画像情報の入力時の処理手順を示すフローチャート
【図４−Ａ】２台の携帯型情報端末装置に夫々自分の名刺情報が表示された様子を示す図
【図４−Ｂ】２台の携帯型情報端末装置を重ね合わせた様子を示す正面図
【図４−Ｃ】データ交換後の画面を示す図
【図５】付加情報を入力する様子を示す図
【図６】本発明の他の実施例を示すもので、データの送信時の様子を示す図
【符号の説明】
【００４１】
図面中、１，２１は携帯型情報端末装置、２はケース（本体）、３は表示装置、８はタッチパネル、１０はＣＰＵ（読取実行手段、識別情報付与手段、呼出し手段）、１１はメモリ（記憶手段）、２２は携帯電話機（外部機器）、Ｎは名刺（読取対象物）を示す。
【図１】
2005044174.tif 000003
【図２】
2005044174.tif 000004
【図３】
2005044174.tif 000005
【図４−Ａ】
2005044174.tif 000006
【図４−Ｂ】
2005044174.tif 000007
【図４−Ｃ】
2005044174.tif 000008
【図５】
2005044174.tif 000009
【図６】
2005044174.tif 000010